(57)【要約】      （修正有）【課題】背板を周壁材縫着する際、その縫着部が内面側にも外面側にも露出しないようにした体裁の良いランドセルを提供する。【解決手段】周壁材３の側壁部２および底板部の縁を、ランドセル本体の内面側に折り曲げてコ型縫着部６を形成し、そのコ型縫着部６を挟持するように、内面板７と背板４とを接触させ、その状態でコ型縫着部６と内面板７と背板４との各縁部間を一体的に縫着する。【選択図】図３
0003166979.tif 000002
【実用新案登録請求の範囲】
【請求項１】
底板部(1)および両側壁部(2)を有する周壁材(3)に背板(4)が縫着されてランドセル本体(5)を形成するものにおいて、
その周壁材(3)の背面側で、底板部(1)および両側壁部(2)の縁部がランドセル本体(5)の内側で且つ背板(4)に平行に折り曲げられて、そこに平面コ字状の帯部からなるコ型縫着部(6)を構成し、
そのコ型縫着部(6)の内面側に内面板(7)の周縁部が当接されると共に、コ型縫着部(6)の外面に背板(4)の周縁部が当接された状態で、内面板(7)とコ型縫着部(6)と背板(4)とが連続してコ字状に縫着されたことを特徴とするランドセル。
【請求項２】
請求項１に記載のランドセルにおいて、
前記内面板(7)はその内面側の第１板(7a)と、その外面に配置され、前記コ型縫着部(6)幅分だけ小さい第２板(7b)とからなり、
前記背板(4)の縁に帯状の縁材(8)が断面Ｕ字状に巻き付けられ、その帯材(8)と共に、背板(4)が前記コ型縫着部(6)に縫着されたランドセル。
【請求項３】
請求項２において、
前記背板(4)の上縁に布材(9)の下端が縫着され、その布材(9)が前記内面板(7)の内面を被覆した状態で、その布材(9)と共に、内面板(7)が前記コ型縫着部(6)に縫着されたランドセル。
【考案の詳細な説明】
【技術分野】
【０００１】
本考案は、ランドセルの本体を形成する背板４と周壁材３との縫着部の構造に関する。
【背景技術】
【０００２】
従来のランドセルは、底板部１および側壁部２を有する周壁材３に背板４を縫着する際、周壁材３の周縁部を外側に折り曲げ、そこに背板４を縫着していた。
また、周壁材３の側壁部２の縁を内面側に折り曲げ、その縁と背板４とを縫着する提案もされていた。
【考案の概要】
【考案が解決しようとする課題】
【０００３】
周壁材３の周縁部を外側に折り曲げ、そこに背板４の縁を縫着する場合、その縁分だけ縫着部が外側に出っ張り、体裁の悪い欠点があった。
また、周壁材３の側壁部２の縁を内側に折り曲げ、底板部１の縁を外側に折り曲げて、底に背板４を取り付けた場合には、底板部１の下側に縁が突出する欠点がある。
それと共に、ランドセル本体の内面側において、側壁部２の縁部がその内面に段付きに露出し、ランドセル内面の体裁が悪い欠点がある。
そこで本考案は、これらの問題点を同時に解決することを課題とする。
【課題を解決するための手段】
【０００４】
請求項１に記載の本考案は、底板部(1)および両側壁部(2)を有する周壁材(3)に背板(4)が縫着されてランドセル本体(5)を形成するものにおいて、
その周壁材(3)の背面側で、底板部(1)および両側壁部(2)の縁部がランドセル本体(5)の内側で且つ背板(4)に平行に折り曲げられて、そこに平面コ字状の帯部からなるコ型縫着部(6)を構成し、
そのコ型縫着部(6)の内面側に内面板(7)の周縁部が当接されると共に、コ型縫着部(6)の外面に背板(4)の周縁部が当接された状態で、内面板(7)とコ型縫着部(6)と背板(4)とが連続してコ字状に縫着されたことを特徴とするランドセルである。
【０００５】
請求項２に記載の本考案は、請求項１に記載のランドセルにおいて、
前記内面板(7)はその内面側の第１板(7a)と、その外面に配置され、前記コ型縫着部(6)幅分だけ小さい第２板(7b)とからなり、
前記背板(4)の縁に帯状の縁材(8)が断面Ｕ字状に巻き付けられ、その帯材(8)と共に、背板(4)が前記コ型縫着部(6)に縫着されたランドセルである。
【０００６】
請求項３に記載の本考案は、請求項２において、
前記背板(4)の上縁に布材(9)の下端が縫着され、その布材(9)が前記内面板(7)の内面を被覆した状態で、その布材(9)と共に、内面板(7)が前記コ型縫着部(6)に縫着されたランドセルである。
【考案の効果】
【０００７】
本考案のランドセルは、周壁材３の底板部１および側壁部２の縁部がランドセル本体５の内面側に折り曲げられて、そこにコ字状の帯部からなるコ型縫着部６を構成し、そのコ型縫着部６を内面板７の周縁部と背板４の周縁部とで挟持した状態で、それらを一体的に連続してコ字状に縫着したものであるから、縫着部が底板部１および側壁部２の外側に出っ張ることがない。それと共に、その内面側に内面板７が縫着されているため、コ型縫着部６がランドセル本体５の内面側に段付きに突出することを防止し、体裁の良いランドセルを提供できる。
【０００８】
上記構成において、請求項２に記載のように、内面板７が第１板7aと第２板7bとからなり、第２板7bがコ型縫着部６の幅分だけ第１板7aより小さく形成した場合には、第２板7bが第１板7aと背板４との隙間を埋め、ランドセル本体５の内面側を永続的に段差の付かない体裁の良いランドセルとすることができる。
【０００９】
請求項３に記載の考案のように、背板４の上縁に布材９の下端を縫着し、それを内面板７の内面に被覆した状態で、その布材９と共に内面板７をコ型縫着部６に縫着した場合には、布材９により内面板７の上縁が被覆されて、内面板７の上縁を保護し、さらに体裁の良いランドセルを提供できる。それと共に、その縫着が容易で、量産性の高いランドセルとなる。
【図面の簡単な説明】
【００１０】
【図１】本考案のランドセルの分解斜視図。
【図２】同ランドセルの縫着状態を示す斜視図。
【図３】図２のIII−III矢視断面拡大図。
【考案を実施するための形態】
【００１１】
次に、図面に基づいて本考案の実施の形態につき説明する。
この例のランドセルは、周壁材３と背板４とを逢着することにより、ランドセル本体５を構成する。
周壁材３は、底板部１とその両側に立ち上げられた一対の側壁部２と、その前面側に設けた前板部17とを有する。両側壁部２の縁および底板部１の縁は、周壁材３の内面側に折り曲げられ、コ型縫着部６を構成する。そして、そのコ型縫着部６を挟持するように、内面板７が周壁材３の内面側に位置し、背板４がその外面側に当接され、それらの縁どうしが縫着される。この周壁材３は、図３に示す如く、芯材13の外面側に革材12が接合され内面側に布材14が接着されている。
背板４は、その外面側にクッション材11を介して、革材12が被覆されている。
【００１２】
次に、内面板７は図１に示す如く、その内面側に第１板7aが配置され、外面側に第２板7bが配置される。第２板7bは、コ型縫着部６の幅分だけ、第１板7aより小さく形成されている。
次に、背板４の上縁には、蓋材15および布材９の下端縁が縫着される。それと共に、背板４の外周にＵ字状に折り曲げた幅の狭い縁材８が配置される。そしてコ型縫着部６を背板４の周縁と内面板７の周縁とで挟持した状態で、コ型縫着部６に内面板７および背板４を縫着する。このとき図３に示す如く、内面板７の第１板7aの縁がコ型縫着部６に接し、第２板7bが背板４に接する。係る状態で各縁部（逢着しろ）間が縫着糸10によって縫着される。
【００１３】
この縫着糸10は、図２に示す如く、ランドセル本体５の周縁に沿って平面コ字状に連続して縫着される。なお、図１における布材９は、図３の如く内面板７の内面側に被覆され、縫着糸10によって布材９の縁がコ型縫着部６に縫着される。    
【符号の説明】
【００１４】
１  底板部
２  側壁部
３  周壁材
４  背板
５  ランドセル本体
６  コ型縫着部
７  内面板
7a  第１板
7b  第２板
８  縁材
【００１５】
９  布材
10  縫着糸
11  クッション材
12  革材
13  芯材
14  布材
15  蓋材
16  縁材
17  前板部
【図１】
0003166979.tif 000003
【図２】
0003166979.tif 000004
【図３】
0003166979.tif 000005